(57)【要約】【課題】継手部材を別途用いることなく、支柱本体に対して枝添え棒を簡単に取り付け，取り外しできる園芸用支柱を提供することにある。また、継ぎ足し構成の支柱本体とするこにより、持ち運びや保管に便利な園芸用支柱を提供する。【解決手段】支柱本体２と、支柱本体２に取り付けられる枝添え棒３と、を備えた園芸用支柱において、支柱本体２には水平に対して所定角度下向きに傾斜する複数の傾斜貫通孔５が設けられ、傾斜貫通孔５の上位開口部５１から下位開口部５２に向けて枝添え棒３の一端を抜き差し自在とし、枝添え棒３には傾斜貫通孔５の上位開口部５１の入口周縁に係合するストッパ部３１が設けられていることを特徴とする。【選択図】図１
0003123457.tif 000002
【実用新案登録請求の範囲】
【請求項１】
支柱本体と、該支柱本体に取り付けられる枝添え棒と、を備え、
前記支柱本体には、中心軸線に対して一方の側面から他方の側面に向けて下向きに傾斜する傾斜貫通孔が設けられ、該傾斜貫通孔の一方の側面に開口する上位開口部から他方の側面に開口する下位開口部に向けて枝添え棒の一端を抜き差し自在とし、前記枝添え棒には傾斜貫通孔の上位開口部の入口周縁に係合するストッパ部を設けたことを特徴とする園芸用支柱。
【請求項２】
複数の傾斜貫通孔は、軸方向に間隔をおいて周方向に位相をずらして設けられている請求項１に記載の園芸用支柱。
【請求項３】
支柱本体は、継ぎ足し自在の棒状部材によって構成され、各棒状部材に複数の傾斜貫通孔が設けられている請求項１又は２に記載の園芸用支柱。
【請求項４】
枝添え棒は金属線材であり、ストッパ部は金属線材を傾斜貫通孔の上位開口部の口径よりも幅広に押し潰して構成されることを特徴とする請求項１に記載の園芸用支柱。
【請求項５】
支柱本体の根本部には、支柱本体と共に地中に差し込まれる根本補強棒が抜き差し自在に差し込まれる差込穴が設けられており、該差込穴は上向きに傾斜しており、差込穴に差し込まれる根本補強棒は支柱本体に対して下向きに傾斜する構成となっていることを特徴とする請求項１乃至４のいずれかの項に記載の園芸用支柱。
【請求項６】
根本補強棒には枝添え棒が用いられる請求項５に記載の園芸用支柱。
【請求項７】
支柱本体が所定長さの継ぎ足し可能な棒状部材によって構成されていることを特徴とする請求項１乃至６のいずれかの項に記載の園芸用支柱。
【請求項８】
支柱本体の上端には目突き防止用のキャップが装着されている請求項１乃至７のいずれかの項に記載の園芸用支柱。
【請求項９】
キャップには、種別を記載する名札の名札取付部が設けられている請求項８に記載の園芸用支柱。
【請求項１０】
名札取付部は、名札が挟む溝によって構成されている請求項９に記載の園芸用支柱。
【請求項１１】
請求項３に記載の園芸用支柱の支柱本体を構成する傾斜貫通孔が形成された棒状部材である太棒と、請求項７に記載の園芸用支柱の支柱本体を構成する棒状部材であって前記請求項３に記載の棒状部材より細い細棒と、前記太棒の傾斜貫通孔に差し込み自在の枝添え棒と、を組にした園芸用支柱セット。
【考案の詳細な説明】
【技術分野】
【０００１】
本考案は、野菜，草花，果樹，樹木の苗木などの添え木として用いられる園芸用支柱に関する。
【背景技術】
【０００２】
従来から、キュウリや豆類等のつる性植物のつるの誘引や、トマト等の重量のある作物の実を支持するために、支柱本体に枝添え棒を取り付けた園芸用支柱が種々提案されている。
たとえば、特許文献１には、支柱本体の複数箇所にそれぞれ複数本の枝添え棒を斜め上向きに固定した支柱が記載されている。しかし、この特許文献１に記載の支柱は、枝添え棒の具体的な固定方法が記載されていない。支柱本体に固定されたままでは、枝添え棒が支柱本体から四方に突き出た状態で作業を行う必要があり、持ち運びや保管する際にも大きなスペースを要する。また、作業者が誤って枝添え棒の先端で傷付くおそれもあり、扱いづらい。
【０００３】
これに対して、特許文献２や特許文献３には、枝添え棒を各種継手部材を用いて支柱本体に着脱自在に固定するようにした園芸用支柱が記載されている。すなわち、継手部材を支柱本体に対して取り付け、この継手部材に枝添え棒を取り付けるようになっていた。このようにすれば、支柱本体と枝添え棒を別々にして作業場所まで持ち運ぶことができ、便利である。しかし、特許文献２，３に記載の園芸用支柱にあっては、枝添え棒とは別に継手部材が必要で、部品点数が増大すると共に、継手部材を支柱本体に取り付けなければならず、作業者に対して面倒な作業を強いることになる。
また、従来の園芸用支柱は、長さの異なる複数の支柱が用意され、使用作物に応じて使い分けるのが一般的であるが、２ｍ以上あるような長さの長いものは一般車両に積載するのが難しく、持ち運びや保管に不便であった。
【特許文献１】実開平６−９４３７号
【特許文献２】実公昭６０−１５７７号
【特許文献３】実公昭５９−１２０４３号
【考案の開示】
【考案が解決しようとする課題】
【０００４】
本考案の目的は、継手部材を用いることなく、支柱本体に対して枝添え棒を簡単に着脱できる園芸用支柱を提供することにある。
また、継ぎ足し構成の支柱本体とすることにより、持ち運びや保管に便利な園芸用支柱を提供することにある。
【課題を解決するための手段】
【０００５】
本請求項１に係る考案は、支柱本体と、支柱本体に取り付けられる枝添え棒と、を備え、
支柱本体には、中心軸線に対して一方の側面から他方の側面に向けて下向きに傾斜する傾斜貫通孔が設けられ、傾斜貫通孔の一方の側面に開口する上位開口部から他方の側面に開口する下位開口部に向けて枝添え棒の一端を抜き差し自在とし、枝添え棒には傾斜貫通孔の上位開口部の入口周縁に係合するストッパ部を設けたことを特徴とする。
請求項２に係る考案は、複数の傾斜貫通孔は、軸方向に間隔をおいて周方向に位相をずらして設けられていることを特徴とする。
請求項３に係る考案は、支柱本体は、所定長さの継ぎ足し自在の棒状部材によって構成され、各棒状部材に複数の傾斜貫通孔が設けられていることを特徴とする。
【０００６】
請求項４に係る考案は、枝添え棒は金属線材であり、ストッパ部は金属線材を傾斜貫通孔の上位開口部の口径よりも幅広に押し潰して構成されることを特徴とする。
請求項５に係る考案は、支柱本体の根本部には、支柱本体と共に地中に差し込まれる根本補強棒が抜き差し自在に差し込まれる差込穴が設けられており、差込穴は上向きに傾斜しており、差込穴に差し込まれる根本補強棒は支柱本体に対して下向きに傾斜する構成となっていることを特徴とする。
請求項６に係る考案は、根本補強棒には枝添え棒が用いられることを特徴とする。
【０００７】
請求項７に係る考案は、支柱本体を所定長さの継ぎ足し可能な棒状部材によって構成されていることを特徴とする。
請求項８に係る考案は、支柱本体の上端には目突き防止用のキャップが装着されていることを特徴とする。
請求項９に係る考案は、キャップには、野菜の種類等の各種情報を記載する名札取付部が設けられていることを特徴とする。
請求項１０に係る考案は、名札取付部は、名札を挟む溝によって構成されていることを特徴とする。
請求項１１に係る園芸用支柱セットは、請求項３に記載の園芸用支柱の支柱本体を構成する傾斜貫通孔が形成された棒状部材である太棒と、請求項７に記載の園芸用支柱の支柱本体を構成する棒状部材であって前記請求項３に記載の棒状部材より細い細棒と、前記太棒の傾斜貫通孔に差し込み自在の枝添え棒と、を組にしたことを特徴とする。
【考案の効果】
【０００８】
請求項１に記載の考案によれば、枝添え棒は、支柱本体に設けた傾斜貫通孔に差し込むだけで、上位開口部の入口周縁にストッパ部が引っ掛かり、枝添え棒が固定されるので、取り付け作業がきわめて簡単である。この枝添え棒は、傾斜貫通孔に斜めに差し込まれているので、たとえば、トマト等の実の重量が加わっても抜けることはなく、確実に作物を支持することができ、新鮮な実を保護することができる。
また、持ち運び，保管時には枝添え棒を支柱本体から外し、支柱本体と共に枝添え棒を束ねることができ、持ち運びや保管にも便利である。
請求項２に記載の考案によれば、複数の傾斜貫通孔を、軸方向に間隔をおいて設けているので、傾斜貫通孔に通される枝添え棒が互いに干渉しない。また、周方向には位相をずらして設けているので、様々な方向に延びるつるや枝を誘引，支持することができる。
請求項３に記載の考案によれば、支柱本体を所定長さの継ぎ足し自在の棒状部材によって構成したので、作物の成長に応じて自由に長くすることができると共に、持ち運びや保管時には、分解することでコンパクトになり、乗用車に積載することも可能で、より一層利便性が高まる。
【０００９】
請求項４に記載の考案によれば、枝添え棒を金属線材とし、ストッパ部を傾斜貫通孔の上位開口部の口径よりも幅広に押し潰した構成とすれば、簡単にストッパ部を成形することができる。
請求項５に記載の考案によれば、 支柱本体の根本部に下向きに傾斜する根本補強棒を設けたので、支柱本体を安定して支持することができる。
請求項６に記載の考案によれば、根本補強棒には枝添え棒が用いられるので、部品点数を低減することができる。
【００１０】
また、請求項７に記載の考案のように、支柱本体を所定長さの継ぎ足し可能な棒状部材によって構成するようにすれば、作物の生育に合わせて継ぎ足していくことができ、持ち運びや保管時には分解することでコンパクトになり、利便性の高い園芸用支柱を実現できる。
請求項８に記載の考案によれば、支柱本体の上端には目突き防止用のキャップが装着されているので、子供や高齢者にも安全性の高い支柱となる。
請求項９に記載の考案によれば、キャップに野菜の種類等の各種情報を記載する名札取付部を設けたもので、目突き防止と共に見易い位置に野菜の種類等の情報を確認でき、便利である。
請求項１０に記載の考案によれば、 名札取付部は、名札を挟む溝によって構成されているだけなので、きわめて容易に成形できる。
請求項１１に記載のように、太棒，細棒，枝添え棒をセットとしておけば、野菜や草木の種類や大きさに応じて、太棒，細棒を使い分けて最適な添え木として使用することができる。したがって、菜園シーズンの菜園、温室、マンション，ベランダ等の家庭菜園等、広範囲の用途に対応することができ、草花，野菜等の美しい姿や成長を楽しみ、食しながら菜園作業を行うことができる。
また、複数の太棒の枝添え棒に細棒を横にして掛け渡すことにより、横棒を利用することも可能で、多種多様な活用が可能となる。
【考案を実施するための最良の形態】
【００１１】
以下に本考案を図示の実施例に基づいて詳細に説明する。
【実施例１】
【００１２】
図１は、本考案の実施例１に係る園芸用支柱の概略構成図である。
この支柱１は、支柱本体２と、支柱本体２に取り付けられる枝添え棒３と、支柱本体２の上端に装着される目突き防止用のキャップ４と、を備えている。
支柱本体２は直線状に延びる断面円形状の棒によって構成されている。支柱本体２は、金属，樹脂，木材，竹等、種々の材料を用いることができるが、この実施例では金属パイプによって構成されている。支柱本体２の表面は樹脂チューブ等によって被覆してもよい。もちろん、中空のパイプ構造だけでなく、中実構造でもよい。
支柱本体２には、中心軸線に対して一方の側面から他方の側面に向けて下向きに傾斜する傾斜貫通孔５が設けられ、図１（Ｂ）に示すように、傾斜貫通孔５の一方の側面に開口する上位開口部５１から他方の側面に開口する下位開口部５２に向けて枝添え棒３の一端が抜き差し自在となっている。支柱本体２はパイプ形状なので、傾斜貫通孔５は内部の中空部を隔てて上位開口部５１側と下位開口部５２側の管壁を貫通する構成となっている。
枝添え棒３には傾斜貫通孔５の上位開口部５１の入口周縁に係合するストッパ部３１が設けられている。このストッパ部３１を境にして傾斜貫通孔５に差し込まれる部分を基端部３２、ストッパ部３１から他端までの長尺部分を本体部３３とすると、基端部３２は傾斜貫通孔５の上位開口部５１から下位開口部５２までの距離よりも若干長く設定され、差し込んだ際に先端が下位開口部５２から一部露出し、本体部３３が上位開口部５１から斜め上向きに直線状に延びるように構成されている。
傾斜貫通孔５は、差し込まれる枝添え棒が互いに干渉しないように軸方向に間隔をおいて設けられ、さらに各傾斜貫通孔５は周方向に所定角度ずつ位相をずらして設けられている。
【００１３】
支柱本体２は、所定長さに揃えられた継ぎ足し自在の棒状部材２１によって構成され、棒状部材２１にはそれぞれ四方から枝添え棒３が差し込まれるように４〜５個の傾斜貫通孔５が設けられている。棒状部材２１の長さＬ１は、乗用車に積載できる程度、１ｍ程度の長さが好適である。
棒状部材２１は中空のパイプであり、その一端に差込軸２２が固定され、この差込軸２２を次の棒状部材の開口端に差し込んで接続するようになっている。差込軸２２は棒状部材２１の端部から所定長さ突出している。差込軸２２の突出長さは管部材の長さ，太さに応じて適宜設定されるが、この例では棒状部材２１全体の長さＬ１を１ｍ、太さＤ１が１ｃｍ程度で、差込軸２２の突出長さＬ２は５ｃｍ程度に設定している。
枝添え棒３は、この実施例では、長さＬ３が３０ｃｍ程度の金属線材によって構成される。ストッパ部３１は、図１（Ｃ）に示すように、線材を傾斜貫通孔５の上位開口部５１の口径よりも局部的に幅広に押し潰された構成である。
ストッパ部３１としては、押し潰す構成に限定されず、たとえば、図１（Ｄ）に示すように線材を局部的に屈曲させて構成してもよいし、樹脂等を接着してもよいし、要するに上位開口部５１を通らないように上位開口部５１の周縁に係合する構成となっていればよい。
【００１４】
一方、支柱本体２の根本部には、支柱本体２と共に地中に差し込まれる補強棒６が抜き差し自在に差し込まれる差込穴７が設けられている。差込穴７は下向きに傾斜しており、差込穴７に差し込まれる補強棒６は支柱本体２に対して下向きに傾斜している。差込穴７は、傾斜貫通孔５と同様に中心軸に対して一方の側面から他方の側面に向けて下向きに傾斜する貫通孔で、この例では円周方向３箇所に設けられている。この３箇所の差込穴７も、差し込んだ補強棒６が互いに干渉しないように、軸方向に間隔をおいて設けられ、周方向に位相をずらして三方向から差し込むようになっている。差込穴７が軸方向に離れすぎると、補強棒６が地面に届かなくなるので、近づけておくことが必要である。
この実施例では、補強棒６として枝添え棒３を用いており、枝添え棒３の本体部３３を下方に向け、差込穴７の上位開口部７１から下位開口部７２を突き抜けて地面に差込まれる構成で、基端部３２が差込穴７の上位開口部７１から突出する構成となっている。基端部３２が上位開口部７１から突出するので、特に図示しないが基端部を丸めた専用の補強棒６を用いるようにしてもよい。
【００１５】
キャップ４は樹脂あるいはゴム等によって構成されるもので、キャップ本体４１と、このキャップ本体４１の下端面から下方に突出する差込凸部４２とを備え、差込凸部４２を支柱本体２の上端開口部２３に差込み、キャップ本体４１によって支柱本体２の上端を覆うようになっている。キャップ本体４１の形状は円筒形状で、その外径Ｄ２は支柱本体２の径Ｄ１よりも大きく、１．５ｃｍ程度に設定されている。キャップ本体４１の形状は、円筒形状に限定されず、三角柱形状等、種々の形状に成形することができる。
一方、キャップ本体４１には、図１（Ｅ），（Ｆ）に示すように、種類名などを記載する名札８を取り付ける名札取付部を構成する名札差込溝４３が設けられている。この名札差込溝４３は、名札８の厚みより狭く、名札３を挟み込んで保持するようになっている。
【００１６】
実施例１の変形例
図２（Ｃ），（Ｄ）に示すように、支柱本体２の直径Ｄ３を太くすれば苗木の添え木にも利用することができる。樹木の苗木の添え木とする場合には、太さは３ｃｍ程度とする。
図示例では、根本補強棒３０６が開閉式となっている。すなわち、根本補強棒３０６の上端を支柱本体２に回転自在に連結し、下端を自由端とし、地面に差し込む際には下端の自由端が外側に向けて傾斜して地面に差し込まれる。根本補強棒３０６は、３箇所に設けることが効果的で、苗木をしっかりと固定することができる。もちろん、根本補強棒３０６を差込式とすることもできる。
根本補強棒３０６としては、たとえば図２（Ｅ）に示すように、枢支点Ｏの上方に開き角度を規制する傾斜片３６１を設けておけばよい。このようにすれば、所定の開き角度に達すると傾斜片３６１が支柱本体２に当接して開き角度を規制することができる。
【実施例２】
【００１７】
図２（Ａ）は、本発明の実施例２に係る園芸用支柱を示している。
この園芸用支柱２０1は、枝添え棒は使用せず、支柱本体２０２が所定長さの継ぎ足し可能な棒状部材２２１によって構成されている。支柱本体２０２の上端には、実施例１と同様に目突き防止用のキャップ４が装着されている。キャップ４の構成については、実施例１と同一であり、同一構成部分については同一の符号を付して説明は省略する。
この支柱本体２０２は、実施例１の園芸用支柱よりも太さＤ４が細い細棒であり、約５ｍｍ程度の太さの円管によって構成されている。この太さに応じて、キャップ４のキャップ本体４１の外径Ｄ５も１ｃｍ程度とする。また、棒状部材２２１の長さＬ４は、実施例１の棒状部材２１と同様に、１ｍに設定されている。
【００１８】
上記実施例１に係る支柱本体２を太棒、実施例２の支柱本体２０２を細棒とし、枝添え棒３と共にセットで提供される。もちろん、キャップ４についてもセットになっており、根本補強棒６として枝添え棒３を利用しない場合には、根本補強棒６についてもセットに入れるものとする。
このようにセットとすれば、図２（Ｂ）に示すように、実施例１の支柱本体２を互いに離して地面に差し込み、各支柱本体２，２に差し込んだ枝添え棒３，３間に実施例２の支柱本体２０２を横置きすることにより、支柱間に掛け渡した横棒として使用することができる。
【図面の簡単な説明】
【００１９】
【図１】図１（Ａ）は本考案の実施例１に係る園芸用支柱を長さ方向を短く誇張して示す概略分解斜視図、同図（Ｂ）は同図（Ａ）の傾斜貫通孔の部分拡大断面図、同図（Ｃ）は枝添え棒のストッパ部の概略側面図、同図（Ｄ）はストッパ部の他の構成例を示す図、同図（Ｅ）はキャップの名札取付溝を示す概略斜視図、同図（Ｆ）は名札が取り付けられた状態の名札取付部の正面図である。
【図２】図２（Ａ）は本考案の実施例２に係る園芸用支柱を長さ方向を短く誇張して示す概略分解斜視図、同図（Ｂ）は実施例２の支柱を横棒として利用する形態の説明図、同図（Ｃ）乃至（Ｅ）は実施例１の根本補強部の変形例を示す図である。
【符号の説明】
【００２０】
１  園芸用支柱
２  支柱本体
２１  棒状部材
２２  差込軸
２３  上端開口部
３  枝添え棒
３１  ストッパ部
４  キャップ
４１  キャップ本体
４２  差込凸部
４３  名札差込溝
５  傾斜貫通孔
５１  上位開口部
５２  下位開口部
６  補強棒
７  差込穴
８  名札
２０１  園芸用支柱
２０２  支柱本体
２２１  棒状部材
２２２  差込軸
２２３  上端開口部
【図１】
0003123457.tif 000003
【図２】
0003123457.tif 000004